(57)【要約】      （修正有）【課題】基材内に、メモリと制御及び演算処理を行うプロセッサとを備えたＩＣチップと、該ＩＣチップと電気的に接続される非接触式の通信インターフェースとを有し、外部と通信インターフェースを介してプロセッサのデータ入出力及び動作電力の供給が行われるＩＣカードであって、電池及びコンデンサを内蔵することなく、または、電池及びコンデンサの容量を小さく出来る表示内容の選択をできる非接触ＩＣカードを提供する。【解決手段】プロセッサ内のポートと接続され、かつプロセッサにより制御される表示装置３と、ＩＣチップ１に接続された表示内容を選択するスイッチ４とを備え、プロセッサは通信インターフェース２を介した動作電力の供給によってメモリに記録された表示内容のうち、スイッチ４により選択された表示内容を読み出して表示装置３に表示する手段を有する。【選択図】図１
2013004002.tif 000002
【特許請求の範囲】
【請求項１】
基材内に、メモリと制御及び演算処理を行うプロセッサとを備えたＩＣチップと、該ＩＣチップと電気的に接続される非接触式の通信インターフェースとを有し、外部と通信インターフェースを介してプロセッサのデータ入出力及び動作電力の供給が行われるＩＣカードであって、
プロセッサ内のポートと接続され、かつプロセッサにより制御されてなる表示装置と、ＩＣチップに接続された表示内容を選択するスイッチとを備え、
プロセッサは通信インターフェースを介した動作電力の供給によってメモリに記録された表示内容のうち、スイッチにより選択された表示内容を読み出して表示装置に表示する手段を有することを特徴とするＩＣカード。
【請求項２】
表示装置に、電子ペーパーを用いたことを特徴とする請求項１に記載のＩＣカード。
【請求項３】
電力一時保持手段を備えていることを特徴とする請求項１又は２に記載のＩＣカード。
【発明の詳細な説明】
【技術分野】
【０００１】
本発明は、非接触式ＩＣカードに関する。
【背景技術】
【０００２】
ＩＣカードは、薄板状のプラスチック材料に薄型のＩＣチップ（半導体集積回路）を組込み、そのＩＣチップには所定の情報処理を行うプログラムが記録されており、またＩＣチップでの情報の記録や読み出しが可能である、クレジットカード大のカードを総称するものである。また、インターフェース手段の違いによって「接触ＩＣカード」（外部端子付きＩＣカード）と「非接触ＩＣカード」（外部端子なしＩＣカード）の各方式、或いは２つの方式を組み合わせたＩＣカード（一般に複合ＩＣカード、ハイブリッドＩＣカード、コンビネーションＩＣカード或いはデュアルインターフェースカードと称される）とに分けられる。
【０００３】
非接触ＩＣカードは、ＩＣチップと、電気的に接続されたコイル又はアンテナなどで形成された非接触式の通信インターフェースが、内蔵されている。そして、微弱な電波である搬送波に載せられたデータ、クロック信号、電力は搬送波から取り出し、内蔵するＩＣチップを動作させ、外部端末との間で通信を行う。近年、その利便性などから、特にこの非接触ＩＣカードが利用されるようになった。
【０００４】
従来、ＩＣカードを利用した場合に、ＩＣカードの端末装置と間で行われる通信に連動してＩＣカードが動作している状態であることをＩＣカード利用者に知らせることがなく、あるとしても端末側でアクセスランプの点灯やモニターに処理状況が表示される程度であった。とくに非接触ＩＣカードは非接触状態で行われるため、ＩＣカード利用者は処理状態をＩＣカードから知る手段は無かった。
【０００５】
近年、表示デバイスの進化に伴い、ＩＣカードにポイント、残高、履歴等を表示する機能を持ったＩＣカードが検討されている。たとえば、ＩＣカードの情報を表示させるリアルタイムで、またその後にも表示できるものとして特許文献１において、表示装置と、表示を行うための電池を追加した構成の非接触ＩＣカードが提案されている。そして、ユーザが必要なときにスイッチを入れて、電池で駆動し、表示装置に必要なデータが表示できるようにしている。さらに、コンデンサを利用し、電池でチャージし、なるべく電池の利用時間を少なくして駆動している。このようにしてユーザは、例えば非接触ＩＣカードの残高を、いつでも知ることが出来る。
【先行技術文献】
【特許文献】
【０００６】
【特許文献１】特許第３８２０８６２号公報
【発明の概要】
【発明が解決しようとする課題】
【０００７】
このようにしてＩＣカードに記憶している色々な内容を表示するときに、表示装置の表示内容を保持するためには、電力を殆ど必要としない。しかし、表示内容を変更するためには、電力が必要となる。このために、カード内に電池や、コンデンサを内蔵し、表示内容の変更に対応する必要があった。しかし、表示内容を変更するために、電池及びコンデンサを内蔵することは、コストアップになるだけでなく、ＩＳＯで規定されるカードの厚みを実現する上で、障害となっていた。
【０００８】
本発明は、電池及びコンデンサを内蔵することなく、または、電池及びコンデンサの容量を小さく出来る、また表示内容の選択をできる非接触ＩＣカードを提供することを課題とする。
【課題を解決するための手段】
【０００９】
本発明のフォトマスクは、以上の課題に鑑みなされたもので、請求項１に記載の本発明は、基材内に、メモリと制御及び演算処理を行うプロセッサとを備えたＩＣチップと、該ＩＣチップと電気的に接続される非接触式の通信インターフェースとを有し、外部と通信インターフェースを介してプロセッサのデータ入出力及び動作電力の供給が行われるＩＣカードであって、
プロセッサ内のポートと接続され、かつプロセッサにより制御されてなる表示装置と、表示内容を選択するスイッチとを備えたことを特徴とするＩＣカード
としたものである。
【００１０】
本発明の請求項２に記載の発明は、
表示装置に、電子ペーパーを用いたことを特徴とする請求項１に記載のＩＣカードとしたものである。
【００１１】
本発明の請求項３に記載の発明は、
電力一時保持手段を備えていることを特徴とする請求項１又は２に記載のＩＣカードとしたものである。
【発明の効果】
【００１２】
本発明のＩＣカードは、以上のような構成であるので、スイッチで表示内容を選択し、リーダライタにかざすことにより、カードに表示されるので、電池及びコンデンサを内蔵することなく、または、電池及びコンデンサの容量を小さくして、表示内容を見ることができる。したがって、コストダウン及び薄型化ができる、非接触ＩＣカードである。特に、電子ペーパーで表示することによって、リーダライタによる切替後も、表示内容を保持できる。
【図面の簡単な説明】
【００１３】
【図１】本発明のＩＣカードの一例の構成を示した説明図である。
【図２】本発明のＩＣカードの他の例の構成を示した説明図である。
【図３】本発明のＩＣカードの一例の動作をフローで示した説明図である。
【発明を実施するための形態】
【００１４】
以下、本発明を実施する形態を、図面を参照しつつ説明する。
【００１５】
図１は、本発明のＩＣカードの一例の構成を示した説明図である。本例のＩＣカード１０は、基材内に、メモリと制御及び演算処理を行うプロセッサとを備えたＩＣチップ１と、該ＩＣチップと電気的に接続される非接触式の通信インターフェース２とを有し、外部と通信インターフェース２を介してプロセッサのデータ入出力及び動作電力の供給が行われることを前提とする。そして、プロセッサ内のポートと接続され、かつプロセッサにより制御される表示装置３と、表示内容を選択するスイッチ４とを備えたＩＣカードである。表示装置３は、ディスプレイパネルとディスプレイドライバより構成される。本例では、スイッチ４により、ポイント表示、残高表示、履歴表示の表示内容を選択する。
【００１６】
表示装置３を構成するディスプレイパネルは、ＩＣカードに内蔵するため、2ミリ以下程度のフラットディスプレイパネルを用いる。特に消費電力を抑制するために、メモリ性を有するものが好ましい。例えば、強誘電性液晶、電気泳動方式等の電子ペーパーである。これらは、表示内容の切り替え時にのみ電力を消費し、電源ＯＦＦの時にもメモリ性により表示内容を保持することができる。
【００１７】
スイッチ４は、ＩＣチップ１に電気的に接続されている。スイッチによる選択に従って、プロセッサは表示装置に送信する表示内容情報を切り替えることができる。当該スイッチは電力の供給なしに切り替え選択が可能な物理スイッチであり、例えばスライドスイッチやロータリースイッチなどを用いることができる。
【００１８】
ＩＣチップ内のメモリには、少なくともディスプレイパネルに表示するための表示内容のデータが記憶される領域を有する。図１に示した例では、通信インターフェース２を介したプロセッサのデータ入出力により、ポイント表示、残高表示、履歴表示等の表示内容のデータが読み出し又は書き換えられる。
【００１９】
本発明のＩＣカード１０では、不揮発性メモリ（図１のＲＯＭ）、揮発性メモリ（図１のＲＡＭ）を備えている。図示していないが、書き込み可能な不揮発性メモリとしてＥＥＰＲＯＭを備えていても良い。本発明のＩＣカードによれば、プロセッサはリーダ／ライタから受信したデータあるいは不揮発性メモリから読み出したデータを揮発性メモリに記録し、これを表示装置側に出力することで、ディスプレイパネルに内容を表示する。不揮発性メモリから読み出す場合には、揮発性メモリに記録せずに表示装置側に出力するようにしても良い。表示装置に電子ペーパーを用いることで、揮発性メモリから表示装置に出力された表示内容は、プロセッサから書き換え指示があるまで保持される。
【００２０】
図２は、本発明のＩＣカードの別の構成例である。同じ構成要素については図１のＩＣカードと同一の符号を付し、説明を省略する。図１の構成に加えて図２のＩＣカードでは、電力一時保持手段５を備えている。ＩＣカードのリーダ／ライタが通過ゲートのような場所に設けられている場合、１Ｓ未満の短い時間でデータ送受信を完了するため、データ送受信時間で表示内容の切り替えができない可能性がある。電力一時保持手段は、通信インターフェース２がデータ送受信を行う間に電力を充電し、完了後に放電することで、ＩＣチップ及び表示装置への動作電力供給を行うことができ、この間にＩＣチップの駆動と表示内容の切り替えが可能になる。また、データ送受信の後に表示内容の切り替え処理を行うことで、データ送受信と表示内容の切り替え処理のタイミングをずらすことができるので、安定して必要な電力の供給を行うことができる。電力一時保持手段は、例えばキャパシタや、リチウムイオン電池等の二次電池を用いて構成される。
図３は、本例の動作をフローで示した説明図である。本例のＩＣカード１０で、必要な内容を表示するには、まずカードのセレクトスイッチ４を選択する（Ｓ１）。例えば、上記のように、ポイント表示、残高表示、履歴表示の表示内容を１つ選択する。次に、ＩＣカード１０をリーダライタ（ゲートや、レジなど）にかざす（Ｓ２）。ＩＣカード１０に通信インターフェース２を経由して、電力が供給される。ＩＣチップ１に電力が供給され、ＩＣカード１０がアクティブになる（Ｓ３）。ＩＣカード１０とリーダライタ間で通信（ポイント加算など）を行い、データの更新などを行う（Ｓ４）。選択された情報（ポイントなど）をＩＣカード１０内メモリより読み出す（Ｓ６）。選択された情報（ポイントなど）をディスプレイパネルに表示する（Ｓ７）。ＩＣカード１０をリーダライタから離す（Ｓ８）。
【００２１】
表示機能付きＩＣカードを、ゲートおよびレジにてリーダライタにかざしたときには、
ＩＣカードには通信インターフェースを経由して電力が供給される。この時には、リーダライタからの電力を使用し、表示内容を切り替えることが出来る。ただし、リーダライタからカードが離れ、通信が完了してしまうと、表示した内容を切り替えることは出来ない。
【００２２】
本発明のＩＣカードではこれに対し、リーダライタにＩＣカードをかざす前に、表示する内容を、スイッチを使用して事前に選択することにより、表示したい内容をＩＣカードの表示装置に表示させることで、表示内容を切り替えることができる。また、表示装置に電子ペーパーを用いることで、リーダライタからＩＣカードを離しても、表示内容を保持できる。この場合、従来よりも容量の小さい電池とコンデンサを用いることにより、保持期間を延長できる。
【符号の説明】
【００２３】
１・・・ＩＣチップ
１０・・・ＩＣカード
２・・・通信インターフェース
３・・・表示装置
４・・・スイッチ
【図１】
2013004002.tif 000003
【図２】
2013004002.tif 000004
【図３】
2013004002.tif 000005